(57)【要約】      （修正有）【課題】安全かつ快適な涼風を得ることができ、熱中症対策が図れる、簡易扇風機を装着可能な防災面付きヘルメットを提供する。【解決手段】防災面１付きヘルメット２の正面に簡易扇風機３の取り付け部品５、５−１を装着し、正面取付けガイド４の開口部に挿入し固定するとともに、両側面取付けガイド６の開口溝にファン配線コードチューブ３ウを装着し、着用者の側頭部後方から防災面１及び側頭部に向かって送風することにより、作業者の熱中症対策や作業効率向上が図れるとともに、簡易扇風機３のファンの方向を変えることにより防災面１へのゴミ等付着による不安全作業の防止及び目の保護が図れる。また簡易扇風機３の脱着が非常に簡単であることから必要時のみの使用が可能である。【選択図】図１
0003227116.tif 000002
【実用新案登録請求の範囲】
【請求項１】
着用者の側頭部後方から防災面（１）及び側面に向かって送風可能な首掛け簡易扇風機（３）を装着するための簡易扇風機取り付具（４，５，６）を備えた簡易扇風機を装着可能な防災面付きヘルメット。
【請求項２】
首掛け型簡易扇風機（３）はU字型の電池収容部（３ア）の両端から延びたファン配線コードチューブ（３ウ）の先端付近にファン（３エ）が取り付けられた構造であり、簡易扇風機取り付具（４，６）は電池収納部（３ア）を支持固定するためにヘルメットの正面中央部に取り付けられた正面取り付けガイド（４）と、ファン配線コードチューブ（３ウ）を支持固定するためにヘルメット両側面に取り付けられた側面用取付けガイド（６）から構成される請求項１に記載の簡易扇風機を装着可能な防災面付きヘルメット。
【請求項３】
正面取付けガイド（４）は断面凹型で長方形の開口部（４ア）を有する構造であり、側面用取付けガイド（６）は断面凹型台形で開口溝（６ア）を有する構造であり、簡易扇風機（３）の電池収容部（３ア）を支持する取付け部品（５，５−1）を正面取付けガイド（４）の開口部（４ア）に挿入し、ファン配線コードチューブ（３ウ）を側面用取付けガイド（６）の開口溝（６ア）に挿入して、簡易扇風機（３）をヘルメットに支持固定する請求項２に記載の簡易扇風機を装着可能な防災面付きヘルメット。
【請求項４】
取付け部品（５、５−1）は、一部分が欠けた円形保持部（５イ，５−１イ）と、円形保持部（５イ、５−１イ）の端から下方へ延びた正面ガイド挿入部（５ア、５−１ア）と正面ガイド挿入部（５ア、５−１ア）の先端に取り付けられた突起状の挿入部脱落防止返し（５ウ、５−１ウ）から構成されており、取付け部品（５、５−1）の取り付方向は円形保持部（５イ、５−１イ）の欠けた部分をヘルメット（２）の後部方向に向け、正面取付けガイド（４）の開口部（４ア）に挿入して簡易扇風機（３）をヘルメットに支持固定する請求項３に記載の簡易扇風機を装着可能な防災面付きヘルメット。
【考案の詳細な説明】
【技術分野】
【０００１】
本考案は簡易扇風機を装着可能にした防災面付きヘルメットに関するものである。
【背景技術】
【０００２】
公共事業、農業、植栽、土木事業等において防災面付きヘルメットは業務上の安全を確保するために必要不可欠である。しかし夏期及び高熱作業場において当該防災面付きヘルメットを装着し作業をする事は非常に暑い上、発汗による熱中症の発生確率が高くなると共に、特に防災面（アクリル板等）にゴミの付着による前方視界不良及び目にゴミが入るなど不安全な事故の発生する恐れがある。従来は上記問題を解決するため特開2013−2256737号公報および特開平9−157934号広報の技術が知られている。
【先行技術文献】
【特許文献】
【０００３】
【特許文献１】特開2013−2256737号公報
【特許文献２】特開平9−157934号公報
【考案の概要】
【考案が解決しようとする課題】
【０００４】
上記特許文献１についてヘルメット用送風ユニットはヘルメットに簡単に取り付ける事が出来ると共に外部から取り入れた空気を内部で渦巻状の対流を発生させて、ヘルメットの内の熱や湿気を含んだ空気を外部に押出すことで、安全且つ快適な涼風をえることができるヘルメット用の送風ユニットであるが、送風ユニットがヘルメットの両側面に固定され吸気、排気を行う構造となっており「着用者の側頭部後ろから送風する」アイデアは開示されていない。
【０００５】
上記特許文献２について上部に太陽電池を取りつけたヘッドハンドに対して下方に伸びるアームを設け、このアームに太陽電池を電源とする小型モータとファンを取り付け、アームの長さや前後左右方向の位置で調整することでファンの位置を人の顔の頬近傍で調整可能なファン付きヘッドバンドが開示されていますが、ファンの位置やファンの送風方向は今回のアイデアは類似するが専用のヘッドバンドやアーム、ファンが必須である。また側頭部後方からファンにて防災面等に送風する等の記述も無い。
【課題を解決するための手段】
【０００６】
本考案の簡易扇風機を装着可能な防災面付きヘルメットは、着用者の側頭部後方から防災面１及び側面に向かって送風可能な首掛け簡易扇風機３を装着するための簡易扇風機取り付具４，５，６を備える。
また本考案の簡易扇風機を装着可能な防災面付きヘルメットの首掛け型簡易扇風機３はU字型の電池収容部３アの両端か延びたファン配線コードチューブ３ウの先端付近にファン３エが取り付けられた構造であり、簡易扇風機取り付具４，６は電池収納部３アを支持固定するためにヘルメットの正面中央部に取り付けられた正面取り付けガイド４と、ファン配線コードチューブ３ウを支持固定するためにヘルメット両側面に取り付けられた側面用取付けガイド６から構成される。
また本考案の簡易扇風機を装着可能な防災面付きヘルメットの正面取付けガイド４は断面凹型で長方形の開口部４アを有する構造であり、側面用取付けガイド６は断面凹型台形で開口溝６アを有する構造であり、簡易扇風機３の電池収容部３アを支持する取付け部品５、５−1を正面取付けガイド４の開口部４アに挿入し、ファン配線コードチューブ３ウを側面用取付けガイド６の開口溝６アに挿入して、簡易扇風機３をヘルメットに支持固定する。
また本考案の簡易扇風機を装着可能な防災面付きヘルメットの取付け部品５、５−1は、一部分が欠けた円形保持部５イ、５−１イと、円形保持部５イ、５−１イの端から下方へ延びた正面ガイド挿入部５ア、５−１アと正面ガイド挿入部５ア，５−１アの先端に取り付けられた突起状の挿入部脱落防止返し５ウ、５−１ウから構成されており、取付け部品５、５−1の取り付方向は円形保持部５イ、５−１イの欠けた部分をヘルメット２の後部方向に向け、正面取付けガイド４の開口部４アに挿入して簡易扇風機３をヘルメットに支持固定する
【考案の効果】
【０００７】
考案の防災面付きヘルメットは普段の作業時は簡易扇風機を取り外した状態で作業を実施し、夏期作業等簡易扇風機が必要となった場合、防災面付きヘルメットに簡易扇風機を装着し着用者の首または顎付近から（側頭部後方から）防災面及び顔の側面に向かって、安全かつ快適な涼風を得ることが出来き、熱中症対策が図れる。特に簡易扇風機ファンの方向を変えることにより防災面に向かって送風出来ることからゴミを外へと押し出す力が働き微細なゴミの流入を防ぎ、目の保護に役立つ。また装置の構造が簡単な事から安価でありコストパフォマンスが高い
【図面の簡単な説明】
【０００８】
【図１】本考案の簡易扇風機を装着した防災面付きヘルメットを示す図であり、（ａ）は上面図、（ｂ）は正面図、（ｃ）は側面図である。
【図２】簡易扇風機3を示す図であり（ａ）は正面図、（ｂ）は側面図である。
【図３】簡易扇風機取付け正面取付けガイド4を示す図であり（ａ）は上面図、（ｂ）は正面図、（ｃ）は側面図である。
【図４】正面取付けガイド４に取付ける部品を示す図であり正面取付けガイド４への挿入部分が短尺  5（ア）である部品の（ａ）は上面図、（ｂ）は正面図、（ｃ）は側面図である。
【図５】正面取付けガイド４に取付ける部品を示す図であり正面取付けガイド４への挿入部分が長尺  5−1（ア）である部品の（ａ）は上面図、（ｂ）は正面図、（ｃ）は側面図である。
【図６】簡易扇風機３の取付け両側面取付けガイド６を示す図であり（ａ）は側面方向から見た斜視図、（ｂ）は斜め下方から見た斜視図である。
【考案を実施するための形態】
【０００９】
本考案の簡易扇風機3の装着可能な防災面付ヘルメットは夏期および高熱作業場等の作業において熱中症予防及び安全作業の確保のために防災面付きヘルメットに簡易扇風機にて首および顎付近から（側頭部後方から）送風することによる熱中症、目の保護及び不安全行動の防止を図る。また簡易扇風機を装着する構造は正面および両側面のガイドの３点で装着できるため脱着が非常に簡単である。
【実施例】
【００１０】
以下添付図面に従って一実施例を説明する。全体の構成図は図１のとおりであり、防災面付きヘルメットに図２の簡易扇風機３の電池収容部３アの正面中央部３イに図５の簡易扇風機取付け部品５または５−１を装着し図２の正面取付けガイド４に簡易扇風機取付け部品５または５−１の正面ガイド挿入部（短尺）５ア、または（長尺）５−１アを挿入固定後、側面（左右両側面）ガイド６の側面取付けガイド開口部６アにファン配線コードチューブ３ウを装着することにより正面と両側面２か所によって３点支持を可能としている。
【００１１】
図２に示す簡易扇風機３はすでに販売されているものを使用することができ、一例を示すと簡易扇風機３の本体の電池収容部３アはU字型をしており両端か延びたファン配線コードチューブ３ウの先端付近にファン３エが取り付けられた構造であり、配線コードチューブ３ウ部分は変形自由な構造であることからファン３エの方向が変えることが出来き、風向を防災面および側面に変更することが出来る。
【００１２】
図３に示す正面取付けガイド４はヘルメット２の正面中央部に断面凹型の長
方形の開口部４アを有する形状をした付具で簡易扇風機取付け部品５または５−１の挿入部分に合わせた形で形成されており、しっかりと固定することができる。
【００１３】
図４に示す簡易扇風機取付け部品５は簡易扇風機の電池収納部３アを確実に固定するため、一部分が欠けた円形保持部５イと正面ガイド挿入部（短尺）５ア並びに挿入部脱落防止用返し５ウから構成されている。取付け部品５、５−1の取り付方向は円形保持部５イ、５−イの欠けた部分をヘルメット２の後部方向に取りつける。これにより簡易扇風機３のヘルメット２前面からの脱落を防ぐ構造となっている。なお図４の５と図５の５−１の相違は正面ガイド挿入部の長さの違いであり図４の正面ガイド挿入部（短尺）５アで防災面付きヘルメットを装着したとき、重心がヘルメットの前面方向にかかり作業しづらい場合、挿入部分の長い５−１に変えることにより、簡易扇風機３の本体を後ろに移動することによる重心の位置を変える構造である。
【００１４】
図６に示す両側面取付けガイド６はヘルメット２の両側面部に断面凹型台形
で開口溝６アを有する構造を持った付具でありヘルメット２の側面に斜め方向に取り付け、簡易扇風機３のファン配線コードチューブ３ウをガイド開口溝６アに装着固定することが出来る構造となっている。
【００１５】
次に装着方法であるが、簡易扇風機３に装着した簡易扇風機取り付け部品5または5−1を図３の取付け正面ガイド４の開口部４アに挿入し固定する。また簡易扇風機３の電池収容部３アとファン３エを結ぶファン配線コードチューブ３ウを図5の側面取り付けガイド6の開口溝６アに装着し固定する。
【００１６】
以上簡易扇風機３を装着した後、電源を起動し着用者の首または顎付近から（側頭部後方から）防災面１及び側頭部に向かって送風することにより、安全かつ快適な涼風を得ることが出来き、熱中症対策が図れる。特に簡易扇風機３のファン３ウの方向を変えることにより側面後方からの風を防災面1に送風出来ることからゴミを外へと押し出す力が働き微細なゴミの流入を防ぎ、目の保護及び不安全防止に役立つ。
【００１７】
なお簡易扇風機取付け部品５または５−１を装着した簡易扇風機3は正面取付けガイド４及び両側面取付けガイド６の3点のみでの装着であるため脱着は非常に簡単である。
【符号の説明】
【００１８】
１  防災面
２  ヘルメット
３  簡易扇風機
３ア  電池収容部
３イ  電池収容部正面中央部
３ウ  ファン配線コードチューブ
３エ  ファン
４  正面取付けガイド
４ア  正面取付けガイド開口部
５  簡易扇風機取付け部品  
５ア  正面ガイド挿入部（短尺）
５イ  円形保持部
５ウ  挿入部脱落防止用返し
５−１  簡易扇風機取付け部品  
５−１ア  正面ガイド挿入部（長尺）
５−１イ  円形保持部
５−１ウ  挿入部脱落防止用返し
６  側面取付けガイド
６ア  側面取付けガイド開口溝
【図１】
0003227116.tif 000003
【図２】
0003227116.tif 000004
【図３】
0003227116.tif 000005
【図４】
0003227116.tif 000006
【図５】
0003227116.tif 000007
【図６】
0003227116.tif 000008